(57)【要約】      （修正有）【課題】家庭用可燃ゴミを片手で搬出できる搬出物保持体を提供する。【解決手段】幅広の帯状の部材により形成されその帯の中央部に搬出物を載置する載置部２があり、載置部２の中央に目印４を設けた。又載置部２の両側から上方に向け横保持部１が構成され、その上端部に開口を有する取手部３を設けた。【選択図】図１
0003214800.tif 000002
【実用新案登録請求の範囲】
【請求項１】
搬出物を載置する載置部と、載置部の両側から上方に向けて延びる横保持部と、から構成された搬出物保持体であって、上端部分に取手部が形成されていることを特徴とする搬出物保持体。
【請求項２】
前記搬出物保持体の前記横保持部には、上下方向の中間部に前記搬出物を保持するための少なくとも１本のヒモ部材の一端が固定されていることを特徴とする請求項１記載の搬出物保持体。
【請求項３】
前記ヒモ部材は弾性体で構成されているとともに、前記左右の横保持部にそれぞれ一端が固定されており、この左右のヒモ部材の他端には、一方にフック部材が設けられ、他方の他端には前記フック部が係合する係合部が設けられていることを特徴とする請求項２記載の搬出物保持体。
【請求項４】
前記搬出物保持体は帯状の網部材で構成されていることを特徴とする、請求項１ないし３のいずれか１項に記載の搬出物保持体。
【考案の詳細な説明】
【技術の分野】
【０００１】  本考案は搬出物、例えば家庭用の可燃ゴミ等を載置する載置部と載置部の両端から上方に向けて延びる横保持部とから構成され、搬出物を搬出することを目的とする搬出物保持体に関するものである。
【技術背景】
【０００２】  家庭用可燃ゴミ搬出の際、ゴミ搬出用紙袋が満杯になりクラフトテープ等で封をすると、ゴミ袋を手で掴む掴みどころがない為両手で保持するか、担ぐか、抱えるしかなかった。
【考案の概要】
【考案が解決しようとする課題】
【０００３】  家庭用可燃ゴミを搬出する際、ゴミ袋にゴミを満杯に入れた時、搬出の為の袋の掴みどころがない為、両手で保持するか、担ぐか、抱えるかして搬出しなければならない。朝時の搬出は体が硬いので、不安定な歩行になり易く、最悪の場合、転倒恐れも否めない。【０００４】  雨天の際、傘が持てない。又杖も持てない。【０００５】  搬出ゴミ袋が複数の時、両手を使う場合は、袋数の分のだけ往復して搬出しなければならない。
【課題を解決するための手段】
【０００６】  上記課題を解決するために本考案においては、幅広の帯状の部材により形成され、その帯の中央部に搬出物を載置する載置部があり、載置部の中央を印す目印を設けた。又載置部の両側から上方に向け横保持部が構成され、その端部に開口を有する取手部を設けたことを特徴とする。【０００７】  さらに本考案においては、前記帯状の搬出物保持体の載置部の両側から上方に向け延びる横保持部の上下方向の中間部に少なくとも１本のヒモ部材の一端が固定されていることを特徴とする。【０００８】  さらに本考案においては、前記帯状の搬出物保持体の載置部の両方から上方に向けて延びる横保持部の上下方向の中間部に弾性体のヒモ部材の一端が固定され、一方のヒモ部材の他端にはフック部材、他方のヒモ部材の他端には、前記フック部材が係合する係合部材が設けられたことを特徴とする。【０００９】  さらに本考案においては、搬出物保持体が帯状の網部材で構成されていることを特徴とする。
【考案の効果】
【００１０】  例えば家庭用可燃ゴミ袋が満杯の時、掴みどころがなく両手で保持して搬出しなければならなかったが、片手による搬出が可能となった。
朝身体が硬く両手がふさがった歩行はバランスが取りにくかったが、片手が空いた為、バランスをとり易くなった。【００１１】  ゴミ袋が片手にて搬出できる為、もう一方の片手で杖が持てる。又雨天の際は傘が持てる。【００１２】  可燃ゴミが複数発生した場合、同時に２袋搬出できる為ゴミ置き場までの搬出往復が半回分で済む。【００１３】  生ゴミによる袋の汚れがある時、手の汚れ、服の汚れの心配が不要となる。【００１４】  搬出物が重くなっても搬出が容易になる。
【図面の簡単な説明】
【００１５】
【図１】本考案の実施例を示す第１実施例の搬出物保持体の展開図。
【図２】本考案の実施例を示す第１実施例の搬出物保持体の側面断面図。
【図３】本考案の実施例を示す第２実施例の搬出物保持体の展開図。
【図４】本考案の実施例を示す第２実施例の搬出物保持体の側面断面図。
【図５】本考案の実施例を示す第３実施例の搬出物保持体の展開図。
【図６】本考案の実施例を示す第３実施例の搬出物保持体の側面断面図。
【図７】本考案の実施例を示す第４実施例の搬出物保持体の展開図。
【図８】本考案の実施例を示す第４実施例の搬出物保持体の側面断面図。
【考案を実施するための形態】
【００１６】  幅広の帯状の部材により形成され、その帯の中央部に搬出物を載置する載置部があり、載置部の中央を印す目印を設けた。又載置部の両側から上方に向け横保持部が構成され、その端部に開口を有する取手部を設けられている。
【００１７】  前記帯状の搬出物保持体の載置部の両側から上方に向け延びる横保持部の上下方向の中間部に少なくとも１本のヒモ部材の一端が固定されている。
【００１８】  前記帯状の搬出物保持体の載置部の両方から上方に向けて延びる横保持部の上下方向の中間部に弾性体のヒモ部材の一端が固定され、一方のヒモ部材の他端にはフック部材、他方のヒモ部材他端には、前記フック部材が係合する係合部材が設けられている。
【００１９】  搬出物保持体が帯状の網部材で構成されていて、その上端部に設けられた２つの取手部にて網部材に載置した搬出物を保持しつつ搬出する。
【実施例】
【００２０】  以下図面に沿って説明する。図１，図２は本考案の第一実施例を示す。この第１実施例における搬出物保持体Ｈは幅広の帯状の例えばビニールシート部材等にて構成され、搬出物保持体Ｈの中央部はマーキングなどで目印４をつけており、この目印４にて搬出物５を載置する位置を示し、その場所が載置部２、２である。
載置部２、２の両側から上方に向け横保持部１、１が構成され、その上部は帯状の横保持部１、１が先細りの形状となり、そこに取手部３，３が設けられている。この取手部３，３は、例えばプラスチック材にて略おむすび型に構成されるとともに、その中央に手が挿入される開口穴が形成されている。
そしてこの取手部３、３は搬出物保持体Ｈを挟んで溶着できるように二枚のプラスチック部材から構成されている。尚、搬出物らを載置部２，２に載置し、取手部３，３を合わせ持ち上げて可燃ゴミ等の搬出物５を横保持部１、１にて保持され搬出される。【００２１】図３，図４は本考案の第２実施例を示す。第２実施例は第１実施例の構成からさらに前記横保持部１，１の上下方向中間部にヒモ部材６，６を設けヒモ部材６，６の一端を固定されている。
このヒモ部材６，６は載置部２，２に載置した搬出物５を搬出の際、固定していないもう一方のヒモ部材６，６を搬出物の上方まで延ばし２本の延びたヒモ部材にて搬出物を縛り保持し
第１実施例と同様取手部３，３を合わせ持ち上げ搬出する。尚、前記ヒモ部材は例えばポリプロピレン製等にて形成されている。【００２２】図５，図６は本考案の第３実施例を示す。この第３実施例は横保持部１，１に取付けられるヒモ部材８，８を伸び縮みできる弾性体で構成してそれぞれ一方の端部を固定し、ヒモ部材８の他方の端部はフック部材９が設けられている。また、他方のヒモ部材８の端部には一方のヒモ部材８のフック部材９を係合する係合部材１０を設けられている。そして載置部２，２に載置した搬出物５の上方まで延ばした弾性体ヒモ部材８，８に固定のフック部材９と係合部材１０を係合し弾性力が働いて搬出物が保持される。搬出時は第１実施事例、第２実施事例と同様取手部を合わせ持ち上げて搬出物５を搬出する。尚、ヒモ部材８はゴムで形成されている。又、フック部材９及び係合部材１０は例えば硬質プラスチック等で形成されている。【００２３】図７，図８は本考案の第４実施例を示す。搬出物保持体Ｈは網部材で構成されている。そしてその中央部には別の色の目印１３を設けている。この目印は網部材１２を横切る状態で編み目を糸部材が縫うようにして構成される。そして、この目印部分に搬出物５を載置し、網部材１２の上端部に設けた網部材取手部１４，１４を合わせ持ち上げると搬出物５が網部材１２に包まれながら搬出される。尚、取手部１４、１４は例えば二枚のプラスチック材料等で構成され、網部材１２を挟んで熱による溶着等で固定される。尚、前記網部材１２は例えばポリプロピレン等で形成されている。尚、第４実施例においては、ヒモ部材を取付けてないが、第１〜第３実施例と同様にヒモ部材を取付けても良いものである。
【符号の説明】
【００２４】Ｈ：搬出物保持体
１：横保持部
２：載置部
３：取手部
４：目印
５：搬出物
６：ヒモ部材
７：固定部
８：弾性体ヒモ部材
９：フック
１０：係合部材
１１：弾性体ヒモ固定部
１２：網部材
１３；網部材目印
１４：網部材取手部
１５：網部材載置部
【図１】
0003214800.tif 000003
【図２】
0003214800.tif 000004
【図３】
0003214800.tif 000005
【図４】
0003214800.tif 000006
【図５】
0003214800.tif 000007
【図６】
0003214800.tif 000008
【図７】
0003214800.tif 000009
【図８】
0003214800.tif 000010